(57)【要約】【課題】  音が外部に洩れて他人に迷惑を掛けるようなことがないとともに、良好なクッション性を保持したまま位置ずれを気にすることなく音楽などを聴くことができる骨伝導スピーカ内蔵枕を提供する。【解決手段】  電源およびこの電源によって動作させられる駆動回路と、音声入力手段から前記駆動回路に入力された信号を音声信号として出力する骨伝導スピーカ２と、この骨伝導スピーカを頭部５が当接する表面に配置するとともに前記駆動回路、および電源を内蔵したクッション体３とからなり、前記クッション体を低反発ウレタンフォームで形成したことを特徴とする。【選択図】  図２
2006197257.tif 000002
【特許請求の範囲】
【請求項１】
電源およびこの電源によって動作させられる駆動回路と、音声入力手段から前記駆動回路に入力された信号を音声信号として出力する骨伝導スピーカと、この骨伝導スピーカを頭部が当接する表面に配置するとともに前記駆動回路、および電源を内蔵したクッション体とからなり、前記クッション体を低反発ウレタンフォームで形成したことを特徴とする骨伝導スピーカ内蔵枕。
【請求項２】
クッション体の一部に受信部を配設し、送信機からの音声信号を受信して、骨伝導スピーカの駆動回路に入力することを特徴とする請求項１記載の骨伝導スピーカ内蔵枕。
【請求項３】
赤外線を送信手段とした送信機からの音声信号を受信する受信部をクッション体に設けたことを特徴とする請求項２記載の骨伝導スピーカ内蔵枕。
【請求項４】
骨伝導スピーカとクッション体との間に樹脂繊維を融合接合させた不織布を介在させたことを特徴とする請求項１記載の骨伝導スピーカ内蔵枕。
【請求項５】
聴取者の頭部の荷重を検知して動作するスイッチを設け、スイッチ動作時のみに電源に通電、あるいは骨伝導スピーカへの信号入力を変化させることを特徴とする請求項１記載の骨伝導スピーカ内蔵枕。
【請求項６】
骨伝導スピーカ若しくは不織布の下方に柔軟性を有するシートを配設したことを特徴とする請求項１または４記載の骨伝導スピーカ内蔵枕。
【請求項７】
骨伝導スピーカ、駆動回路、電源、受信部などを電気的に接続する配線材をクッション体の下方部に形成したスリット中に収納して封止したことを特徴とする請求項１記載の骨伝導スピーカ内蔵枕。
【発明の詳細な説明】
【技術分野】
【０００１】
本発明は、骨伝導によって音楽などを聴くことができ、特に周囲への音の拡散を防いだ骨伝導スピーカ内蔵枕に関する。
【背景技術】
【０００２】
従来、寝ながら音楽やラジオなどを聴く手段としては、例えば、枕本体の中にスピーカーを組み込んだものがあり、使用者は表面被覆材の地裏側に取り付けたスピーカーからの音声を枕のメッシュシートを介して耳元で聴かせるように構成したものが出願公開されている。（特許文献１参照）
一方、骨伝導を利用したヘッドホンに関する特許出願も種々公開（例えば、特許文献２参照）されている。
【０００３】
そして、最近では、図９に示すように、骨伝導スピーカ（52）を頭部（55）を受ける緩衝材（53）に組み込み、枕（51）として寝ながら音楽を聴くことができるものが商品化されている。その構成はウレタンフォームなどの連続気泡発泡体の表面にスキン層を一体に設けて枕形状の緩衝材（53）を形成し、この緩衝材（53）の上部表面に頭部（55）が当接するように狭い間隔で２つの骨伝導スピーカ（52）を埋設したものであり、聴取者が頭（55）をのせることにより、骨伝導によって音楽などを聴くことができるものである。
【特許文献１】特開２００２−１２５８２５公報
【特許文献２】特開２００３−３２７６８公報
【発明の開示】
【発明が解決しようとする課題】
【０００４】
しかしながら、特許文献１の構成では、スピーカーは枕本体に組み込まれており、耳元にあるため小さい音量で聴くことができるが、基本的には所定の音量が存在することから他人にも聞こえるものであり、特に静かな病院などにおいては、同室者に迷惑をかけるおそれがある。
【０００５】
また、特許文献２のヘッドホン構成やイヤホーンの場合は、音はほとんど外部に洩れないため、他人に迷惑を掛けずに聴くことができるが、使用者にとってはヘッドホンやイヤホーン自体が邪魔になって寝返りが打てないなどの制約を受け、煩わしさが残るものであった。
【０００６】
そして、前記図９に示す構成によれば、頭をのせることで頭部（55）が骨伝導スピーカ（52）に接触するため、寝返りを打ってもヘッドホンのように邪魔になることなく音楽などを聴くことができるものであるが、頭部（55）を支える緩衝材（53）がウレタンフォーム製で比較的硬質であることから寝心地が悪く、しかも表面にスキン層があることから、図中に波動を実線で示すように骨伝導スピーカ（52）の振動が緩衝材（53）に伝播し、緩衝材（53）の振動が空気振動に変換することによって緩衝材（53）がスピーカとなり、図中の破線で示すように空気伝播音が発生してしまい、依然として音洩れの問題が残っていた。
【０００７】
前記空気伝播音の発生を抑制するためには、本出願人が出願した特願２００３−３１０７６５の構成である図10に示すように、骨伝導スピーカ（72）を不織布からなるパッド状の弾性緩衝材（73）の表面に保持し、この緩衝材パッド（71）を一般の枕の上に乗せて使用する構成が考えられるが、枕（76）として、寝心地のよいクッション性を考慮した低反発ウレタンフォームのものを使用している場合は、パッド（71）によって枕（76）が本来有する良好なクッション性が損なわれるという欠点があり、また、寝返りなどでパッド（71）がずれやすいため、都度位置を調整しなければならない煩雑さを有していた。
【０００８】
本発明は上記点に着目してなされたものであり、音が外部に洩れて他人に迷惑を掛けるようなことがないとともに、良好なクッション性を保持したまま位置ずれを気にすることなく音楽などを聴くことができる骨伝導スピーカ内蔵枕を提供するものである。
【課題を解決するための手段】
【０００９】
上記課題を解決するため、本発明の骨伝導スピーカ内蔵枕は、電源およびこの電源によって動作させられる駆動回路と、音声入力手段から前記駆動回路に入力された信号を音声信号として出力する骨伝導スピーカと、この骨伝導スピーカを頭部が当接する表面に配置するとともに前記駆動回路、および電源を内蔵したクッション体とからなり、前記クッション体を低反発ウレタンフォームで形成したことを特徴とするものである。
【発明の効果】
【００１０】
本発明によれば、寝返りなどによる位置ずれや音が外部に洩れることをを気にすることなく音楽などを聴くことができるとともに、枕が保有する本来のクッション性や形状を損なうことなく良好な寝心地が得られる骨伝導スピーカ内蔵枕を得ることができるものである。
【発明を実施するための最良の形態】
【００１１】
以下、図面に基づき本発明の一実施形態について説明する。斜視図を図１、縦断面図を図２に示す骨伝導スピーカ内蔵枕（１）は、上部表面に骨伝導スピーカ（２）を配置したクッション体（３）と、これらを覆うカバー（４）とからなり音声受信装置を構成している。骨伝導スピーカ（２）は、音源からの音声を音声振動として聴取者の頭部（５）へ直接伝達することで、難聴者であっても骨伝導により聞こえるようにしたものであり、スピーカ（２）の数は少なくとも２つ以上をクッション体（３）の長手方向に沿って所定間隔で配設している。
【００１２】
図３は、骨伝導スピーカ内蔵枕（１）の送受信装置を示すブロック図であり、テレビやＣＤラジオカセットなどの音源（６）（６′）からの音声信号が入力部（７）に入力され、駆動回路（８）および電池を用いたＤＣ電源部（９）により、骨伝導スピーカ（２）（２）を駆動する。
【００１３】
骨伝導スピーカ（２）の近傍には、クッション体（３）に頭（５）を乗せたときにその荷重を検知して付勢される検出スイッチ（10）が設置されており、頭を枕（１）に乗せていない場合には、電源（９）から駆動回路（８）への電力供給を停止することができるため、電池の消耗を低減することができる。なお、駆動回路（８）には、音声信号の入力の有無を検知し、自動的に電源をオンオフする機能や、過大入力時に自動的に音量を絞る回路を設けてもよい。
【００１４】
また、図４は、電波や赤外線ＬＥＤなどによって無線方式で動作させるようにした図１に示す骨伝導スピーカ内蔵枕（１）の送受信装置を示すブロック図であって、音源（６）からの音声信号は、送信機（11）によって骨伝導スピーカ内蔵枕（２）の上面における奥方の両側部に設けた受信部（12）で受信され、スピーカ駆動回路（８）に入力されることで骨伝導スピーカ（２）に駆動信号を与えて動作させる。
【００１５】
なお、送信機（11）は、音源（６）からの音声やマイク入力による音声を増幅する音声増幅部とそれを送信する送信部とを有し、リモコンによっても操作ができるようにしている。また、入力側に前記音源（６）の他、時計からの信号で頭部（５）に振動を与えて目覚ましとしたり、タイマー動作させるようにしてもよく、音源（６）からの音声がステレオで入力される場合には、ステレオとして送信機（11）から受信部（12）へ送信することができるものである。
【００１６】
上記の構成により、聴取者が、例えば、骨伝導スピーカ内蔵枕（１）の上に頭（５）をのせ、リモコンなどにより電源をオンすれば、音源（６）から入力される音声は、送信部（11）から受信部（12）に、例えば赤外線により伝達され、骨伝導スピーカ（２）からの音声振動として頭部（５）に伝わるものであり、健常者は無論のこと難聴者もその音声や音楽を聴くことができるものである。
【００１７】
しかして、骨伝導スピーカ内蔵枕（１）の外形を形成するクッション体（３）は、低反発ウレタンフォームによってその上面を手前から奥行き方向に向かって波形とし、所定の厚みと幅寸法を有して射出成形で形成したものであり、骨伝導スピーカ（２）はその上面のほぼ中央凹部に幅方向に所定の間隔をおいて２個設置されている。
【００１８】
前記間隔は、聴取者が横になった際の頭部に少なくともいずれかが当接するように配置されたものであり、それぞれの骨伝導スピーカ（２）に近接した手前側には検出スイッチ（10）を配置して、聴取者の頭部がクッション体（３）に乗せられたときのみにオン信号を発して電源（９）に通電され、骨伝導スピーカ（２）を駆動するようにしている。
【００１９】
また、クッション体（３）の奥方左右の上面隅部には、送信機（11）からの音声信号の受信部（12）が設けられ、受信部（12）の一側面には、前記ＤＣ電源部（９）および電源のオンオフをおこなうスイッチや音量調節をおこなうボリュームスイッチなどの操作部（13）を、他側面には、有線の場合の音声信号の入力部（14）を設置している。なお、オンオフスイッチやボリュームスイッチも送信機（11）と同様にリモコンで操作するようにしてもよい。
【００２０】
前記受信部（12）をクッション体（３）の上面に配置したのは、信号受信を確実におこなうためである。特に信号が無線でかつ赤外線による場合は、使用時に布団のシーツなどで受信部である受光部（12）が覆われる可能性があるが、設置位置がクッション体（３）の上面であれば受光部（12）が覆われる可能性が少なくなり、赤外線信号を確実に受信することが可能となる。
【００２１】
カバー（４）を取り除いた状態である図５に示すように、前記クッション体（３）の波形上面の中央部には骨伝導スピーカ（２）や検出スイッチ（10）を埋設する程度の凹陥部（３ａ）を形成し、前記骨伝導スピーカ（２）は、この凹陥部（３ａ）に嵌挿した不織布（15）の上面に設置している。不織布（15）は、樹脂繊維を融合接合して所定の厚みに形成したものであり、凹陥部（３ａ）に嵌挿した後、その上面を周囲のクッション体（３）の上面と同一面になるようにしている。
【００２２】
クッション体（３）を形成しているウレタンフォームは、連続気泡の発泡体であり気泡の壁面が面で繋がっていることから振動が伝わり易く、また面状であることから固体振動が空気振動に変換し易いものであるが、これに対し、不織布（15）は、これを緩衝材とした場合、繊維が重なっている構造であることから、骨伝導スピーカ（２）の振動が繊維に伝わると、繊維間での摩擦が発生し、スピーカ振動が熱エネルギーに変換されることで空気伝播音を減衰させる作用を有するものである。また、振動する繊維部は線状であることからウレタンフォームが面状体あるのに比較して空気振動に変換されにくく、空気伝播音の発生が少なくなる効果を奏する。
【００２３】
さらに、不織布（15）には、骨伝導スピーカ（２）の周囲を取り囲む環状のスリット（15ａ）を形成し、頭（６）がのせられた際には、その重力によってスリット（15ａ）内の骨伝導スピーカ（２）部分は撓んで不織布（15）中に埋没するようにしたものである。
【００２４】
この結果、無負荷時には不織布（15）の表面から突出している骨伝導スピーカ（２）の聴取者の頭部（５）への当たりがより緩和されて使用感が快適となり、音声についても良好な状態で聴くことができるとともに、スリット（15ａ）内の骨伝導スピーカ（２）と不織布の部分は外周の不織布（15）との繊維の接続関係がないため、その境界面（スリット部）での振動伝達が遮断されて空気伝播音の発生をさらに抑制することができるものである。
【００２５】
上記構成によって、枕（１）に頭（５）を乗せた際の荷重で、骨伝導スピーカ（２）がクッション体（３）内に埋もれることを防いで頭蓋骨に対する当接力を確保し、良好に音声振動を伝達することができるので、骨導音の音量、音質をともに向上させることができるとともに、骨伝導スピーカ（２）から発生した振動がクッション体（３）に直接伝達してクッション体（３）自体から気導音が発生することを抑制でき、周囲への音漏れをなくすことができる。
【００２６】
前記検出スイッチ（10）は、前記不織布（15）の下方にあってクッション体（３）との間に介在させた柔軟性を有するシート（16）の上面に配置させており、シート（16）の存在によって検出スイッチ（10）のクッション体（３）への埋もれを防ぐとともに、スイッチ動作を確実にしている。
【００２７】
この検出スイッチ（10）は、頭部（15）に近接した位置にあることから汗などがスイッチ部に侵入して端子間がショートして誤動作を招くことを防止するため防水構造を採用することが望ましく、特に図示しないが、スイッチ（10）部に塩化ビニルチューブを被せ、両端をヒートシールすることで水密構成としている。
【００２８】
また、クッション体（３）には、頭（５）を乗せた際の首部が位置する手前側中央の部分に凹み部（３ｂ）を設けており、この凹み部（３ｂ）に首の部分が位置したときにはこれをガイドとして、頭部（５）に骨伝導スピーカ（２）が確実に当接するように位置決めとしている。
【００２９】
前記カバー（４）を取り外した状態のクッション体（３）は、収納袋（17）で覆われており、クッション体（３）を収納した収納袋（17）は縫い合わせるなどによって使用者が容易に着脱できない仕様にしておく。これは使用者が収納袋（17）からクッション体（３）を取り出すことで骨伝導スピーカ（２）や検出スイッチ（10）などに触れ、破損や配線材を断線させることを防ぐためである。
【００３０】
カバー（４）は汚れた際に洗濯できるようにするため、カバー（４）を底面側からみた図６のように、カバー（４）の裏面にはファスナー（４ａ）を設け、クッション体（３）から着脱できるようにし、また新しいカバーと交換できるようにしている。このときファスナー（４ａ）による開口は、コ字状に設けることで着脱が容易になるとともに、着脱時にクッション体（３）を折り曲げる必要がなくなり、クッション体（３）内部における部品の破損や配線が断線するなどの不具合の発生を防止できる。
【００３１】
図７に骨伝導スピーカ内蔵枕（１）の部分断面図を示すように、骨伝導スピーカ（２）、駆動回路（８）、電源（９）、受信部（12）などを接続する配線材（18）は、クッション体（３）の裏面側に設けた適当な深さの切込み（３ｃ）の中に収納する。
【００３２】
この切込み（３ｃ）は可能な限り直線的に形成するようにして配線材（18）を収納し、収納後は接着テープ（19）などで切込み（３ｃ）部を外部から封止することで、その保持固定が容易で且つ確実となり、枕（１）の使用中に外力で配線材（18）が動いて断線することを防止するとともに、切込み（３ｃ）部からクッション体が破断することを防ぐことができる。さらに、クッション体（３）の表面近傍に配線材（18）が入り込んで触感を悪くするようなことをなくし、枕としての品位を向上することができる。
【００３３】
前記骨伝導スピーカ（２）はクッション体（３）の表面近傍に配置されているため、そのリード線（18ａ）は、クッション体（３）を上下に貫く透孔（３ｄ）内に挿通させるとよい。この場合、透孔（３ｄ）内におけるリード線（18ａ）の長さは、透孔（３ｄ）の長さより充分長くしておくことでクッション体（３）の伸縮時にテンションを受けることなく対応でき、断線を防止できる。
【００３４】
また、図８に示すように、クッション体（３）上面の奥方隅部に配置した赤外線などを受ける受信部（12）や操作部（13）および音声入力部（14）の部分は、受光あるいは操作のため前記収納袋（17）から切り欠かれているとともに、カバー（４）にも開口（４ａ）を設けて外面に露出させている。この開口（４ａ）周縁の裏面側の適当位置には面ファスナー（20）を設けて、収納袋（17）側の面ファスナー（20′）と係合させることで開口（４ａ）同士の位置ズレを防いでおり、受光部や操作部などがカバー（４）で覆われることによる不具合をなくしている。
【００３５】
上記実施例で示した構成のように、反発力が低く上面形状を人の頭部形状に合わせて波形に形成した低反発ウレタンフォームによりクッション体（３）を形成し、さらに前記凹み部（３ｂ）を設けて枕（１）として使用した場合は、頭（５）の位置が自然に決まって骨伝導スピーカ（２）の部分に後頭部が当接し、且つ検出スイッチ（10）が付勢されるので、骨伝導スピーカ（２）の位置決めに何ら煩雑な手間を必要とせず、最も寝心地の良い状態で音楽などを聞くことができるものである。
【００３６】
なお、本発明は、上記実施例に限定されるものではなく、要旨を逸脱しない範囲で更に種々の態様での実施が可能である。例えば、骨伝導スピーカ内蔵枕（１）の奥方の両側部における前記操作部（13）や音声入力部（14）の近傍に、ラジオチューナー（21）やＣＤ、ＭＤ、ＨＤＲなどを内蔵させることで、外部音源を接続する手間や接続コードを不要として使い勝手を大幅に向上させることができる。
【００３７】
また、タイマーやボイスレコーダを内蔵すれば、さらに別の活用方法への展開が可能となり、受光部の近傍に照明装置を内蔵すれば、頭の上げ下げで照明をコントロールさせることも可能となる。
【産業上の利用可能性】
【００３８】
本発明によれば、健常者のみならず難聴者についても音楽などを楽しむことができる骨伝導スピーカ内臓枕として利用することができる。
【図面の簡単な説明】
【００３９】
【図１】本発明の１実施形態を示す骨伝導スピーカ内蔵枕の斜視図である。
【図２】図１のＡ−Ａ線に沿う断面図である。
【図３】図１の骨伝導スピーカ内蔵枕の送受信装置を示すブロック図である。
【図４】図３を無線方式とした場合の骨伝導スピーカ内蔵枕の送受信装置を示すブロック図である。
【図５】図１からカバーを除去した状態を示す斜視図である。
【図６】図１におけるカバーの取り外し状態を示す斜視図である。
【図７】図２の配線材の処理状態を示す図２の部分詳細図である。
【図８】骨伝導スピーカ内蔵枕を後方からみた部分斜視図である。
【図９】従来の骨伝導スピーカ内蔵枕の構成を示す断面図である。
【図１０】従来の骨伝導スピーカ内蔵パッドの使用した状態を示す断面図である。
【符号の説明】
【００４０】
１  骨伝導スピーカ内蔵枕              ２  骨伝導スピーカ
３  クッション体                      ３ａ  凹陥部
３ｂ  凹み部                          ３ｃ  切込み
３ｄ  透孔                            ４  カバー
４ａ  ファスナー                      ５  頭部
６  音源                              ７  入力部
８  駆動部                            ９  電源
10  検出スイッチ                      11  送信機
12  受信部                            13  操作部
14  音声信号入力部                    15  不織布
15ａ  スリット                        16  シート                                17  収納袋                            18  配線材
18ａ  リード線                        19  接着テープ
20  面ファスナー                      21  ラジオチューナー
【図１】
2006197257.tif 000003
【図２】
2006197257.tif 000004
【図３】
2006197257.tif 000005
【図４】
2006197257.tif 000006
【図５】
2006197257.tif 000007
【図６】
2006197257.tif 000008
【図７】
2006197257.tif 000009
【図８】
2006197257.tif 000010
【図９】
2006197257.tif 000011
【図１０】
2006197257.tif 000012